(57)【要約】【課題】  コネクタ本体のハウジングをしっかりと保持するシールドケースを有するシールドケース付電気コネクタを提供することを目的とする。【解決手段】  前部を相手コネクタとの嵌合側とするハウジング１１に嵌着される金属板製のシールドケース２０が該シールドケースの後部から延出する係止片２１を有し、嵌着された該シールドケースの上記係止片２１をハウジングの外面に向け屈曲することによりハウジングと係止する電気コネクタにおいて、係止片２１はハウジング１１の外面に向けた屈曲後にコネクタの底面よりも下方に延びる部分に取付先端部２１Ｃを有し、該取付先端部２１Ｃをコネクタの取付対象部材に形成された対応孔Ｐ２に突入せしめて該取付対象部材への取付けを可能としている。【選択図】  図２
2007005234.tif 000002
【特許請求の範囲】
【請求項１】
前部を相手コネクタとの嵌合側とするハウジングに嵌着される金属板製のシールドケースが該シールドケースの後部から延出する係止片を有し、嵌着された該シールドケースの上記係止片をハウジングの外面に向け屈曲することによりハウジングと係止する電気コネクタにおいて、係止片はハウジングの外面に向けた屈曲後にコネクタの底面よりも下方に延びる部分に取付先端部を有し、該取付先端部をコネクタの取付対象部材に形成された対応孔に突入せしめて該取付対象部材への取付けを可能としていることを特徴とするシールドケース付電気コネクタ。
【請求項２】
係止片はシールドケースの後端上部から後方へ直状に延出しており、屈曲後、ハウジングの後面に形成された係止溝へ対応範囲で収められていることとする請求項１に記載のシールドケース付電気コネクタ。
【請求項３】
係止片はシールドケースの後端側部から後方へ延出し引き続いて直角に変向して延びてＬ字状をなし、屈曲後、ハウジングの後面に形成された係止溝もしくは段部に対応範囲で収められていることとする請求項１に記載のシールドケース付電気コネクタ。
【請求項４】
係止片はシールドケース後端もしくはその近傍で側方へ直状に延びており、屈曲後、ハウジングの後部側面に形成された係止溝もしくは段部に対応範囲で収められていることとする請求項１に記載のシールドケース付電気コネクタ。
【請求項５】
係止片はハウジングの係止溝への対応範囲の少なくとも一部で該係止溝へ圧入されていることとする請求項２ないし請求項４のうちの一つに記載のシールドケース付電気コネクタ。
【請求項６】
係止片はその基部が自由端部より幅広に形成されており、ハウジングの係止溝は、上記係止片の基部より幅広な幅広溝部と、上記係止片の自由端部より幅狭な幅狭溝部を有しており、上記係止片の自由端部が係止溝の幅狭溝部へ圧入されることとする請求項５に記載のシールドケース付電気コネクタ。
【請求項７】
ハウジングはシールドケースが正規位置まで嵌着されたときに該シールドケースと当接するストッパ部を有していることとする請求項１ないし請求項６のうちの一つに記載のシールドケース付電気コネクタ。
【発明の詳細な説明】
【技術分野】
【０００１】
本発明はシールドケース付電気コネクタに関する。
【背景技術】
【０００２】
金属板を打抜きそして屈曲加工してシールドケースを作り、これを端子が植設されているハウジングへ嵌着する電気コネクタが知られている。通常、シールドケースは、ハウジングからの外れの防止のために、係止片を有し、該係止片がハウジングと係止している。このような電気コネクタは、例えば、特許文献１に開示されている。
【０００３】
この特許文献１のコネクタは、添付図面の図５に見られるように、四角形筒状の金属板製シールドケース５１が、端子５２を保持するハウジング５３に嵌着されている。
【０００４】
ハウジング５３に保持されている端子５２は後端がハウジング５３の底面のレベルで屈曲された接続部５２Ａを有しており、コネクタが回路基板上に配された状態で該接続部５２Ａが半田等で回路基板の対応回路部と接続されるようになっている。該ハウジング５３は後端側に上方に係合突部５３Ａが設けられている。
【０００５】
シールドケース５１は、ハウジング５３に嵌着されて前方に開口して相手コネクタ（図示せず）の嵌合のための空間を形成している。この角筒状のシールドケース５１は、後端上側の縁部に上記係合突部５３Ａと係合する切欠部５１Ａが形成されている。この切欠部５１Ａの両側では、後方に向け係合用舌片５４が延出している。さらに、シールドケース５１には、両方の側部の下部に、横方向へ屈曲して突出する接地用の接続部５５が設けられていて、上記回路基板の対応回路部と半田等で接続されるようになっている。
【０００６】
このようなコネクタは、ハウジング５３へシールドケース５１を前方から嵌着する。シールドケース５１の切欠部５１Ａがハウジング５３の係合突部５３Ａに当接して正規の嵌着位置が定まる。しかる後、係合用舌片５４を、図示のごとく、ハウジング５３の後端面に向けて下方へ屈曲し、ハウジング後端面に形成された係合凹部５３Ｂに係合させる。かくして、シールドケース５１は、ハウジング５３に対し、前後方向での移動が規制されて外れることがなくなる。使用に際しては、回路基板上で、上記シールドケース５１の接続部５５と端子５２の接続部５２Ａがそれぞれ半田等により対応回路部と接続され、これらの接続によりコネクタは回路基板上に保持されることとなる。
【特許文献１】特開２００５−０３２６３０
【発明の開示】
【発明が解決しようとする課題】
【０００７】
しかしながら、特許文献１のコネクタにあっては、特に、コネクタが実装されている電子機器、例えば携帯電話が相手コネクタの嵌合状態で落下して衝撃を受けた場合、相手コネクタからの過大な力が直接ハウジングに加わってしまう。ハウジングに過大な力が加わった際に、その力で係合用舌片が開き、ハウジングがシールドケースから抜ける虞れがある。すなわち、ハウジングとシールドケースとは、係合用舌片がハウジングと後端上部の位置で係合しているだけなので、前部で上下方向移動して後部に対して傾きを生じやすい。特に、前部でシールドケースとハウジングとの間に空間があるときには、この傾きによって両者が外れてしまい易い。
【０００８】
本発明は、このような事情に鑑み、簡単な構造でありながら、シールドケースとハウジングが互いに外れにくいシールドケース付電気コネクタを提供することを目的とする。
【課題を解決するための手段】
【０００９】
本発明に係るシールドケース付電気コネクタは、前部を相手コネクタとの嵌合側とするハウジングに嵌着される金属板製のシールドケースが該シールドケースの後部から延出する係止片を有し、嵌着された該シールドケースの上記係止片をハウジングの外面に向け屈曲することによりハウジングと係止する。
【００１０】
かかるシールドケース付電気コネクタにおいて、本発明では、係止片はハウジングの外面に向けた屈曲後にコネクタの底面よりも下方に延びる部分に取付先端部を有し、該取付先端部をコネクタの取付対象部材に形成された対応孔に突入せしめて該取付対象部材への取付けを可能としていることを特徴としている。
【００１１】
このような構成の本発明にあっては、ハウジングに嵌着されたシールドケースの係止片が屈曲後にハウジングを保持すると共に、該係止片の取付先端部が直接取付対象部材、例えば回路基板の対応孔に突入してここで該回路基板に取り付けられる。この取付けは回路基板を介したハウジングの保持により、保持力が強大となる。又、シールドケースは、ハウジングを後端部の上部と下部とで保持することとなり、この点でも保持力、特に、外力を受けてハウジングが傾きを生ずるようなモーメントに十分に対抗できる。
【００１２】
本発明において、係止片はシールドケースの後端上部から後方へ直状に延出しており、屈曲後、ハウジングの後面に形成された係止溝へ対応範囲で収められているようにすることができる。
【００１３】
また、係止片はシールドケースの後端側部から後方へ延出し引き続いて直角に変向して延びてＬ字状をなし、屈曲後、ハウジングの後面に形成された係止溝もしくは段部に対応範囲で収められているようにすることもできる。
【００１４】
さらには、係止片はシールドケース後端もしくはその近傍で側方へ直状に延びており、屈曲後、ハウジングの後部側面に形成された係止溝もしくは段部に対応範囲で収められているようにすることもできる。
【００１５】
係止片は、上記したいくつかの形態のうちのいずれにするにせよ、ハウジングの係止溝への対応範囲の少なくとも一部で該係止溝へ圧入されているようにすることが好ましい。こうすることにより、係止片とハウジングとの係止力を強固とし、係止片の外れの可能性をきわめて小さくする。
【００１６】
係止片は、上記の圧入を行う場合、その基部が自由端部より幅広に形成されており、ハウジングの係止溝は、上記係止片の基部より幅広な幅広溝部と、上記係止片の自由端部より幅狭な幅狭溝部を有しており、上記係止片の自由端部が係止溝の幅狭溝部へ圧入されるようにすることが好ましい。このような形態によれば、係止片は、屈曲を受ける際の力が作用する基部が幅広でその力に耐える強度を確保し、自由端部の少ない範囲であっても圧入による係止を効果的に得る。
【００１７】
さらには、ハウジングはシールドケースが正規位置まで嵌着されたときに該シールドケースと当接するストッパ部を有していることが望ましい。こうすると、ストッパ部によって、シールドケースの嵌着が自動的に正規位置までなされるし、その嵌着方向での外れを防止することにもなる。
【発明の効果】
【００１８】
本発明は、以上のごとく、ハウジングに嵌着されるシールドケースの後部から係止片を延出せしめ、シールドケースがハウジングに嵌着された後に、該係止片をハウジングの面に向けて屈曲して該係止片でハウジングを保持すると共に、係止片の先端がコネクタの底面よりも下方に延びて形成される取付先端部を直接回路基板等の取付対象部材の対応孔に突入せしめて、ここで取付けがなされるようにしたので、上記回路基板が実装されている電子機器が落下してハウジングに外力が作用しても、電子機器内でしっかりと保持されている上記回路基板を介してシールドケースが上記係止片で強固に保持される結果、ハウジングも上記係止片でのシールドケースによる保持によりシールドケースとの間で外れが防止される。
【発明を実施するための最良の形態】
【００１９】
以下、添付図面の図１ないし図４にもとづき、本発明の実施の形態を説明する。
【００２０】
図１において、符号１０はコネクタ本体、符号２０は該コネクタ本体１０に嵌着されるシールドケースである。
【００２１】
コネクタ本体１０は、電気絶縁材料から作られたハウジング１１に、金属材から作られた複数の端子１２が植設されている。上記ハウジング１１は、相手コネクタ（図示せず）との嵌合方向たる前方（図にて左方）に延びる角筒外面を有する嵌合部１３と、その後方で該嵌合部１３よりも大きい角筒外面を有するシールドケース嵌着部１４と、さらにその後方に設けられたストッパ部１５とを有している。上記シールドケース嵌着部１４に後述のシールドケース２０が前方から嵌着された際、上記嵌合部１３がその周囲でシールドケース２０との間に相手コネクタを受入る環状の空間を形成し、ストッパ部１５が該シールドケース２０の後端縁と当接しシールドケース２０の嵌着位置を定める。
【００２２】
上記ストッパ部１５は、ハウジング１１の幅方向両端寄りの位置に設けられており、上記シールドケース嵌着部１４の外周よりもシールドケース２０の板厚分だけ周縁が大きく張り出している。該ストッパ部１５には、後方に開口して上下に貫通する係止溝部１６が形成されている。該係止溝部１６は、上部が幅広溝部１６Ａそして下部が幅狭溝部１６Ｂとなっている。又、上記ストッパ部１５の下端面には、前後に延びる下溝部（図示せず）が形成され、上記ストッパ部１５の後面側で幅方向内側の下部に形成された切欠部１７が連通している。
【００２３】
上記ハウジング１１には端子１２が植設されているが、該端子１２の前端側が接触部としてハウジング１１の嵌合部１３内に位置し、後端側が上記ハウジング１１の後面から延出した後に下方に向けクランク状に屈曲され、該ハウジング１１の底面と同じレベルに接続部１２Ａを有している。
【００２４】
上記コネクタ本体１０に嵌着されるシールドケース２０は、金属板を型抜き後、屈曲成形されて角筒状に作られている。このシールドケース２０はその後部が上記ハウジング１１のシールドケース嵌着部１４に前方から嵌着されるような寸法そして形状の角筒状をなしている。
【００２５】
上記シールドケース２０は、後端上縁の二位置から直状に後方へ延出する係止片２１を有している。この係止片２１は基部２１Ａが幅広で自由端部２１Ｂが幅狭となっている。この係止片２１は、コネクタ本体１０への嵌着後に、シールドケース２０の後端縁位置でハウジングの後面に向け下方へ屈曲されるようになっており、この屈曲時に、上記基部２１Ａがハウジング１１の係止溝部１６の幅広溝部１６Ａへ若干の隙間をもって収められ、自由端部２１Ｂが幅狭溝部１６Ｂへ圧入される寸法そして形状となっている。この係止片２１は、上記係止溝１６へ収められた際、その先端がコネクタの底面、本例ではシールドケース２０の底面よりも下方に突出する長さとなっており、この突出部分が回路基板等のコネクタ取付対象部材の対応孔（図示せず）に突入する取付先端部２１Ｃを形成している。
【００２６】
上記シールドケーース２０は、後端下縁の二位置から上記係止片２１よりも短い副係止片２２が後方へ延出している。この副係止片２２はシールドケース２０がコネクタ本体１０に嵌着された際に、ハウジングのストッパ部の底面に形成された既述の下溝部へ進入し、その先端面が後方へ突出するようになっている。より詳しくは、その先端面は、該副係止片２２が上方へ屈曲されたときに先端側が切欠部１７に収まるように設定されている。なお、本発明では、この副係止片は必須ではない。
【００２７】
上記シールドケース２０の側部には、下方部分が窓状に切り欠かれることにより下方へ屈曲した脚状のグランド接続部２３が設けられている。このグランド接続部２３は回路基板等のコネクタ取付対象部材の対応孔（図示せず）に突入する大きさそして形状となっている。
【００２８】
さらに上記シールドケース２０の上面には、相手コネクタのロック腕先端に設けられた鉤状のロック部が係止するロック孔部２４が形成されている。
【００２９】
かかる本実施形態のコネクタは、次の要領でシールドケース２０がコネクタ本体１０に取付けられ、そして使用される。
【００３０】
（１）先ず、図１の状態のシールドケース２０をコネクタ本体１０に対して前方から嵌着する。シールドケース２０は、その後部がハウジング１１のシールドケース嵌着部１４へ嵌着されると、該シールドケース２０の後端縁がハウジング１１のストッパ部１５に当接する。これによって、シールドケース２０は嵌着位置が定められ同時に後方への抜け防止が図られる。
【００３１】
（２）上記シールドケース２０がコネクタ本体１０へ嵌着されると、該シールドケース２０の係止片２１は、上記ハウジング１１の係止溝１６の上端開口を後方へ突き抜けた状態となる（図２における左側の係止片２１を参照）。しかる後、二つの係止片２１を下方へ屈曲して係止溝１６内へ収める。その際、係止片２１の基部２１Ａは係止溝１６の幅広溝部１６Ａへ楽に入るが、自由端部２１Ｂは幅狭溝部１６Ｂへ圧入される。この係止片２１が屈曲された状態では、図２の右側の係止片２１に見られるように、該係止片２１の取付先端部２１Ｃは、シールドケース２０の底面よりも下方に突出している。この突出部分が取付先端部２１Ｃである。
【００３２】
（３）次に、副係止片２２を上方へ屈曲してハウジングの切欠部１７にて該ハウジングの後面と前後方向で係止させる。このようにして、係止片２１そしてさらには副係止片２２により、コネクタ本体１０とシールドケース２０とは、しっかりと係止し合って、嵌着状態を保つ。特に、係止片２１はハウジングの全高さに及んでおり、しかも下部の自由端部２１Ｂで係止溝１６の幅狭溝部１６Ｂへ圧入係止されているので、その保持力は大きい。かくして、シールドケース２０のコネクタ本体１０への取付けは完了し、シールドケース付コネクタが得られる．
（４）しかる後、図２に見られるように、かかるコネクタを取付対象部材、例えば回路基板Ｐ上の所定位置に配し、グランド接続部２３そして係止片２１の取付先端部２１Ｃをそれぞれ回路基板の対応孔Ｐ１，Ｐ２へ突入せしめ、しかる後、半田等で対応回路部と接続そして取付部と固定する。こうして、コネクタは、上記係止片２１が回路基板に固定され、この係止片２１がコネクタの全高さにわたりコネクタ本体１０を保持する。したがって、相手コネクタが嵌合した状態で電子機器が落下したときに、コネクタ本体１０に対して上下方向の力が作用しても、コネクタ本体の前端側を上下させるような傾きに対して上記係止片２１が有効に作用しこれを阻止する。その結果、このような力が作用しても係止片が開くことがなく、又、ハウジングに対して、好ましくないこじり力が加えられた場合でも、そのこじり力に十分に対抗でき、ハウジングを正規の状態で保持する。
【００３３】
本願発明は、図１そして図２に示した形態に限定されずに、該々変更が可能である。
【００３４】
図１の例では、係止片はシールドケースの後端上縁から後方へ直状に延びていたが、図３の例では、後端側部から延出している。この図３における係止片２１は、シールドケース後端側部、特にその下部から後方に向け延びそし6て引き続きコネクタの幅方向に変向して延びてＬ字状をなしており、図３に示された係止片の屈曲成形後には、このＬ字状部分で、ハウジングの対応切欠段部１８に収まってハウジングの後面を両側から抱かえるようにして保持している。
【００３５】
勿論、この場合も、ハウジングに係止溝を形成して、ここに係止片の一部が圧入されるようにしてもよい。
【００３６】
次に、図４の例では、係止片２１はシールドケース２０の後端上部側縁から側方に延出しており、図４に見られる係止片の屈曲成形後には、ハウジングの側面に形成された対応切欠段部１９に収まっている。この状態では、係止片２１とシールドケースの本体側との間に形成される溝部２１Ｄにハウジング１１の対応突部１９Ａが収まり、シールケース２１に対して前後方向に係止する。すなわち、係止片の屈曲成形前でのシールドケースのコネクタ本体への嵌着時には、上記溝部２１Ｄの前側内面が嵌着時のストッパ部として機能し、屈曲成形後は上記溝部２１Ｄの前後内面が両方向での抜けを阻止する。したがって、図４の形態では、図１に示したストッパ部は不要となる。
【図面の簡単な説明】
【００３７】
【図１】本発明の一実施形態のコネクタの斜視図であり、シールドケースがコネクタ本体に嵌着される前の状態を示している。
【図２】図１のコネクタの斜視図で、シールドケースのコネクタ本体への嵌着後の状態を示す。
【図３】他の実施形態のコネクタの斜視図である。
【図４】さらに他の実施形態のコネクタの斜視図である。
【図５】従来のシールドケース付コネクタの斜視図である。
【符号の説明】
【００３８】
１１  ハウジング                    ２０  シールドケース
１５  ストッパ部                    ２１  係止片
１６  係止溝                        ２１Ａ  基部
１６Ａ  幅広溝部                    ２１Ｂ  自由端部
１６Ｂ  幅狭溝部                    ２１Ｃ  取付先端部
１８  （切欠）段部                  Ｐ２  対応孔
１９  （切欠）段部
【図１】
2007005234.tif 000003
【図２】
2007005234.tif 000004
【図３】
2007005234.tif 000005
【図４】
2007005234.tif 000006
【図５】
2007005234.tif 000007